(57)【要約】【課題】火災発生時に、防災センタ要員が実行すべき内容を、容易に実行することができる火災受信機を提供することを目的とするものである。【解決手段】端末機器の作動時に、火災であることまたは非火災であることを、防災センタ要員に確認させる火災・非火災確認画面を表示する表示装置と、火災であることを示す情報または非火災であることを示す情報を、上記防災センタ要員が入力する情報入力手段と、上記情報入力手段を介して入力された情報が、火災情報であるか非火災情報であるかを検出する情報検出手段と、上記情報検出手段が検出した火災情報または非火災情報に応じて、上記防災センタ要員が実行すべき一連の行動をガイドする行動ガイドを示すガイダンス画面を、上記表示装置に順次、表示させる表示装置制御手段とを有する火災受信機である。【選択図】図１
2007286842.tif 000002
【特許請求の範囲】
【請求項１】
端末機器の作動時に、火災であることまたは非火災であることを、防災センタ要員に確認させる火災・非火災確認画面を表示する表示装置と；
火災であることを示す情報または非火災であることを示す情報を、上記防災センタ要員が入力する情報入力手段と；
上記情報入力手段を介して入力された情報が、火災情報であるか非火災情報であるかを検出する情報検出手段と；
上記情報検出手段が検出した火災情報または非火災情報に応じて、上記防災センタ要員が実行すべき一連の行動をガイドする行動ガイドを示すガイダンス画面を、上記表示装置に順次、表示させる表示装置制御手段と；
を有することを特徴とする火災受信機。
【請求項２】
請求項１において、
一連の行動をガイドする行動ガイドを示すガイダンス画面は、火災が発生したことを上記防災センタ要員が確認した場合には、火災に対する必要な処理の全てが１本の流れに沿って表示される画面であり、一方、火災が発生していないことを上記防災センタ要員が確認した場合には、非火災に対する必要な処理の全てが１本の流れに沿って表示される画面であることを特徴とする火災受信機。
【請求項３】
請求項１において、
上記行動ガイドは、上記ガイダンス画面に表示されている火災地区表示の下部に表示されるガイドであり、上記ガイダンス画面に表示されているスイッチを操作する毎に、上記ガイダンス画面が順次切り替わり、これによって、上記防災センタ要員の作業をサポートするガイドであることを特徴とする火災受信機。
【発明の詳細な説明】
【技術分野】
【０００１】
本発明は、火災受信機に関する。
【背景技術】
【０００２】
従来の火災受信機において、火災時には、発生地区を表示し、また、「現場を確認してください」の文字を、ＬＣＤ上に表示することが知られている（たとえば、特許文献１参照）。
【０００３】
また、火災時に、防災センタ要員が行うべき４つの項目（消防署への通報、避難誘導、消火活動、防災管理者への通報の各項目）を、火災ガイダンス画面に表示し、これら４つの項目から、いずれか１つの項目を、防災センタ要員に選択させ、この選択された項目について、火災ガイダンスが表示される火災受信機が知られている（たとえば、特許文献２参照）。
【０００４】
しかし、特許文献２記載の発明では、火災ガイダンス画面で選択された項目（消防署への通報、避難誘導、消火活動、防災管理者への通報のうちの１つの項目）について、必要な事項を表示した後に、他の項目を表示させるためには、上記火災ガイダンス画面に戻る必要がある。たとえば、火災発生時に、防災センタ要員が、「消防署への通報」の項目を選択した場合、その通報に必要な事項が画面に表示され、消防署への通報処理が終了した後に、防災センタ要員が、たとえば「避難誘導」を行うためのガイダンスを表示させるためには、火災ガイダンス画面に戻る必要があり、また、「消火活動」を行うためのガイダンスを表示させるためには、火災ガイダンス画面に戻る必要があり、その都度、火災ガイダンス画面に戻るための作業を防災センタ要員が実行する必要がある。
【特許文献１】特開平８−１１５４８３号公報
【特許文献２】特許第２９８９４９３号公報
【発明の開示】
【発明が解決しようとする課題】
【０００５】
上記のように、上記従来例では、火災発生時に、防災センタ要員が、火災発生における必要な項目の１つを選択し、その処理が終了した後に、防災センタ要員が、他の必要な項目を選択するには、その都度、火災ガイダンス画面に戻るための作業を防災センタ要員が実行するので、作業が煩雑であるという問題がある。
【０００６】
また、上記従来例では、火災発生時に、防災センタ要員が行わなければならない項目に関する全作業を確実に行わせることができない可能性があるという問題がある。
【０００７】
さらに、上記従来例では、火災発生時に、防災センタ要員が迅速に対応できない場合が少なくないという問題がある。
【０００８】
本発明は、火災発生時に、防災センタ要員が実行すべき内容を、容易に実行することができる火災受信機を提供することを目的とするものである。
【０００９】
また、本発明は、火災発生時に、防災センタ要員が実行しなければならない全作業を確実に行わせることができる火災受信機を提供することを目的とするものである。
【００１０】
さらに、本発明は、火災発生時に、防災センタ要員が迅速に対応することができる火災受信機を提供することを目的とするものである。
【課題を解決するための手段】
【００１１】
本発明は、端末機器の作動時に、火災であることまたは非火災であることを、防災センタ要員に確認させる火災・非火災確認画面を表示する表示装置と、火災であることを示す情報または非火災であることを示す情報を、上記防災センタ要員が入力する情報入力手段と、上記情報入力手段を介して入力された情報が、火災情報であるか非火災情報であるかを検出する情報検出手段と、上記情報検出手段が検出した火災情報または非火災情報に応じて、上記防災センタ要員が実行すべき一連の行動をガイドする行動ガイドを示すガイダンス画面を、上記表示装置に順次、表示させる表示装置制御手段とを有する火災受信機である。
【発明の効果】
【００１２】
本発明によれば、火災発生時に、防災センタ要員が実行すべき内容を、容易に実行することができ、また、火災発生時に、防災センタ要員が実行しなければならない全作業を確実に行わせることができ、さらに、火災発生時に、防災センタ要員が迅速に対応することができるという効果を奏する。
【発明を実施するための最良の形態】
【００１３】
発明を実施するための最良の形態は、以下の実施例である。
【実施例１】
【００１４】
図１は、本発明の実施例１である火災受信機ＲＥ１を含む火災報知設備ＦＡ１のシステム構成を示すブロック図である。
【００１５】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１６】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、端末装置の一例としての防排煙機器（設備）ＤＳ１、ＤＳ２とを有する。
【００１７】
図２は、火災受信機ＲＥ１を示すブロック図である。
【００１８】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００１９】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを、各基板１０、２０、Ｂ３〜Ｂｎに電源供給する基板であり、また、ＯＰＯ基板Ｂ１、ＯＰＩＮ基板Ｂ２に対して、移報を制御する基板である。
【００２０】
ＯＰＯ基板Ｂ１は、出力用基板である。ＯＰＩＮ基板Ｂ２は、入力用基板である。ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００２１】
ＭＣＵ基板２０は、主制御ユニットの基板であり、表示部・メイン処理用の基板であり、内部にＲＯＭ、ＲＡＭを有し、メモリカードＭＣ１が挿入、接続され、スロットＳＬ１が設けられている。
【００２２】
スロットＳＬ１は、メモリカードＭＣ１を着脱するスロットである。
【００２３】
メモリカードＭＣ１は、データベースまたは履歴リストとしてのイベント情報を格納するメモリカードであり、たとえば、コンパクトフラッシュ（登録商標）カードで構成されている。
【００２４】
インバータＩＮＶ１は、ＬＣＤ３０のバックライトを駆動する電源を制御するものである。ＣＴＵ基板Ｂ６〜Ｂｎは、端末と接続する伝送基板であり、２系統分の伝送線を制御する。
【００２５】
ＡＣ／ＤＣ電源ＡＣ／ＤＣは、商用交流電源ＡＣ１００Ｖを所定の直流電圧、ＤＣ２４Ｖの電源電圧に変換し、ＰＳＵ基板１０に出力するものである。
【００２６】
予備電源ＢＴとしてのバッテリは、ＡＣ１００Ｖによって、ＰＳＵ基板１０、トランス、充電回路を介して、常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００２７】
つまり、ＰＳＵ基板１０は、各部（各基板）に電源を供給するための電源部としてＡＣ／ＤＣ電源ＡＣ／ＤＣ及び予備電源ＢＴが設けられ、また、各部に供給する電源を切り替えるリレーが設けられ、通常時は、リレー（不図示）の接点がＡＣ／ＤＣ電源ＡＣ／ＤＣ側に接続され、ＡＣ１００Ｖの停電時には、リレーの接点が予備電源ＢＴ側に接続される。
【００２８】
なお、図２に示すように、ＰＳＵ基板１０の電源部（ＡＣ／ＤＣ電源ＡＣ／ＤＣ及び予備電源ＢＴ）からの電源電圧ＤＣ２４Ｖは、電源線を介して、各基板１０、２０、Ｂ３〜Ｂｎに電源供給される。
【００２９】
ＬＣＤ３０は、端末機器の作動時に、火災であることまたは非火災であることを、防災センタ要員に確認させる火災・非火災確認画面を表示する表示装置の例である。
【００３０】
ＬＣＤ／ＴＰ３０は、火災であることを示す情報または非火災であることを示す情報を、上記防災センタ要員が入力する情報入力手段の例である。
【００３１】
ＭＣＵ基板２０は、上記情報入力手段を介して入力された情報が、火災情報であるか非火災情報であるかを検出する情報検出手段の例である。また、ＭＣＵ基板２０は、上記情報検出手段が検出した火災情報または非火災情報に応じて、上記防災センタ要員が実行すべき一連の行動をガイドする行動ガイドを示すガイダンス画面を、上記表示装置に順次、表示させる表示装置制御手段の例である。
【００３２】
なお、上記「一連の行動をガイドする行動ガイドを示すガイダンス画面」は、火災が発生したことを上記防災センタ要員が確認した場合には、火災に対する必要な処理の全てが１本の流れに沿って表示される画面であり、一方、火災が発生していないことを上記防災センタ要員が確認した場合には、非火災に対する必要な処理の全てが１本の流れに沿って表示されている画面である。
【００３３】
また、上記実施例では、状況説明文をＬＣＤ３０の上部に表示する。
【００３４】
上記実施例は、ＬＣＤ３０の画面上に、火災発生時の行動ガイドを、火災地区表示の下部に表示し、簡単なスイッチ操作によって、行動ガイドを示すガイダンス画面を、順次、表示送りし、これによって、防災センタ要員の作業をサポートする。
【００３５】
図３は、実施例１において、火災時に防災センタ要員が実行すべき一連の行動をガイドする行動ガイドを示すガイダンス画面Ｇ１１、Ｇ１２、Ｇ１３、Ｇ１４、Ｇ１５、Ｇ１６、Ｇ１７を示す図である。
【００３６】
はじめに、ガイダンス画面の画面構成について、ガイダンス画面Ｇ１１を例に挙げて説明する。
【００３７】
ガイダンス画面Ｇ１１は、状況説明文表示エリアＡ１と、火災発生地区表示エリアＡ２と、ガス漏れ発生地区表示エリアＡ３と、行動ガイド表示エリアＡ４とによって構成されている。また、行動ガイド表示エリアＡ４は、端末装置作動状況も表示するエリアとしても兼用されている。この画面構成によって、限られた画面スペースの中で、必要な情報を防災センタ要員に知らせることができる。
【００３８】
また、ガイダンス画面Ｇ１２〜Ｇ１７は、行動ガイド表示エリアＡ４のみを抜粋して示してある。
【００３９】
ガイダンス画面Ｇ１１、Ｇ１２、Ｇ１３、Ｇ１４、Ｇ１５、Ｇ１６、Ｇ１７は、順次、ＬＣＤ３０に表示される。また、端末機器の作動時に（火災が発生したときに）、ガイダンス画面Ｇ１１が、ＬＣＤ３０に強制的に表示される。
【００４０】
火災が発生すると、まず、ＬＣＤ３０に、ガイダンス画面Ｇ１１が表示され、このガイダンス画面Ｇ１１の状況説明文表示エリアＡ１に、火災の警報が発生したことを文字表示し、火災発生地区表示エリアＡ２に、火災発生場所が、実施例では倉庫１棟１階１番であり、光電アナログ感知器が火災を感知したことを表示し、この場合における行動ガイドとして、行動ガイド表示エリアＡ４に、火災現場を確認することを指示し、この指示に従って、防災センタ要員が現場確認した結果、火災であるか否かを防災センタ要員に問い、この回答を、防災センタ要員が、画面上で指示する。つまり、「はい」または「いいえ」（いずれも、スイッチとして作用する）を防災センタ要員に選択入力させる表示がされている。
【００４１】
この回答として、「はい」を選択入力する（タッチパネル３０に表示されている「はい」を指で押す）と、ガイダンス画面Ｇ１２が、ＬＣＤ３０に表示される。ガイダンス画面Ｇ１２には、行動ガイドとして、「火災断定を行い、音響停止のスイッチを一斉に解除すべきこと」が、表示され、防災センタ要員に指示する。具体的には、「火災断定」スイッチを２秒間押し続けることを表示する。
【００４２】
ガイダンス画面Ｇ１２において、「火災断定」を、防災センタ要員が指で触れる（スイッチ操作入力する）と、ガイダンス画面Ｇ１３が、ＬＣＤ３０に表示される。ガイダンス画面Ｇ１３には、行動ガイドとして、「１．消防署への通報。２．関係者への連絡。３．避難誘導・初期消火」が表示され、指示する。なお、これら３項目を１個ずつ表示して個別に処理させるようにしてもよい。また、上記３項目に、さらに下記２項目を追加するようにしてもよい。
「４．防火防煙・排煙・消火・関連設備の作動状況を確認」、
「５．消防隊への支援準備を行う」。
【００４３】
画面Ｇ１３において、「次へ」を、防災センタ要員が指で触れる（スイッチ操作入力する）と、「火災時の対応」に関する一連の行動ガイドが終了して、ガイダンス画面Ｇ１４が、ＬＣＤ３０に表示される。ガイダンス画面Ｇ１４には、各種の行動ガイド項目（メニュー）として、「火災時の対応、火災警報復旧方法、ガスもれ時の対応、端末作動時の対応、端末装置復帰方法の行動ガイド項目を選択する旨」が表示され、その選択を指示する。ここでの選択操作は、防災センタ要員が必要に応じて行う。
【００４４】
上記一連の操作によって、火災時に防災センタ要員が実行すべき必要な処理が全て終了する。一旦表示された画面に戻ることなく、必要な処理が全て終了する。
【００４５】
一方、ガイダンス画面Ｇ１１における質問の回答として、防災センタ要員が「いいえ」を選択すると、ガイダンス画面Ｇ１５が、ＬＣＤ３０に表示される。ガイダンス画面Ｇ１５には、行動ガイドとして、「１．火災断定時中の場合は、スイッチを再度操作して解除。２．非常放送、一括連動遮断を遮断する。」が表示され、この行動ガイドを、防災センタ要員が実行し、「次へ」を指で触れる（スイッチ操作入力する）。
【００４６】
画面Ｇ１５において、防災センタ要員が「次へ」を指で触れる（スイッチ操作入力する）と、ガイダンス画面Ｇ１６が、ＬＣＤ３０に表示される。ガイダンス画面Ｇ１６には、行動ガイドとして、「３．放送・地区音響が鳴動した場合は非火災報または鎮火の旨を放送。４．「端末装置復帰方法」のガイドを参照して作動した端末装置を復帰」が表示される。
【００４７】
画面Ｇ１６において、防災センタ要員が「次へ」を指で触れる（スイッチ操作入力する）と、ガイダンス画面Ｇ１７が、ＬＣＤ３０に表示される。
【００４８】
ガイダンス画面１７には、行動ガイドとして、「５．火災復旧スイッチを操作して再度火災表示しないことを確認」が表示される。なお、この５項目を１個ずつ表示して個別に処理させるようにしてもよい。
【００４９】
そして、火災受信機ＲＥ１の盤面に設けられている火災復旧スイッチ（不図示）を防災センタ要員が操作入力すると、「火災警報の復旧（火災警報復旧方法）」の一連の行動ガイドが終了する。このときに、火災警報の復旧がなされれば（作動要因がなくなれば）、ＬＣＤ３０が消灯し、通常状態に復帰する。また、作動要因が残る場合は、ガイダンス画面Ｇ１４が、ＬＣＤ３０に表示される。
【００５０】
上記一連の操作によって、非火災時に防災センタ要員が実行すべき必要な処理が全て終了する。一旦表示された画面に戻ることなく、必要な処理が全て終了する。
【００５１】
したがって、上記実施例では、火災発生時に、防災センタ要員が実行すべき内容を、容易に実行することができる。
【００５２】
また、上記実施例では、火災発生時に、防災センタ要員が実行しなければならない全作業を確実に行わせることができる。
【００５３】
さらに、上記実施例では、火災発生時に、防災センタ要員が迅速に対応することができる。
【図面の簡単な説明】
【００５４】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１において、火災時に防災センタ要員が実行すべき一連の行動をガイドする行動ガイドを示すガイダンス画面Ｇ１１、Ｇ１２、Ｇ１３、Ｇ１４、Ｇ１５、Ｇ１６、Ｇ１７を示す図である。
【符号の説明】
【００５５】
ＦＡ１…火災報知設備、
ＲＥ１…火災受信機、
２０…ＭＣＵ基板、
３０…ＬＣＤ／ＴＰ。
【図１】
2007286842.tif 000003
【図２】
2007286842.tif 000004
【図３】
2007286842.tif 000005